(57)【要約】【課題】  本発明は、湿らせたスポンジやタオル等によらなくてもポリ塩化ビニール・ポリエチレン等製の袋の開口が簡単にできるようにし、小売店舗等の従事者たちがスポンジやタオル等を常に最適な水分の含み具合状態にするための準備と点検調整洗浄業務に携わってきた貴重な時間の解消を図り、かつスポンジやタオル等の購入に費やされてきた経費の節約を図ると同時に、衛生状態に敏感な消費者たちの、他人が触れた、湿ったスポンジやタオル等に触れなければならなかったことに起因する不潔感に対する抵抗感を無くすことを課題とする。【解決手段】  弾性力を有する材料で製作したＵ字状バネトング２を有する袋の開口具１において、上下にゴム製の挟持部材３、４を有する握り部８を設け、前記挟持部材３、４のどちらか一方に移動部材７を介してスライドできるようにした袋の開口具。【選択図】図２
2006076593.tif 000002
【特許請求の範囲】
【請求項１】
弾性力を有する材料で製作したＵ字状バネトングを有する袋の開口具において、上下にゴム製の挟持部材を有する握り部を設け、前記挟持部材のどちらか一方に移動部材を介してスライドできるようにしたことを特徴とする袋の開口具
【請求項２】
弾性力を有する材料で製作したＵ字状バネトングを有する袋の開口具において、上下にゴム製の挟持部材を有する握り部を設け、前記挟持部材のどちらか一方に握り部を握り締めることで一方の挟持部材を押圧する２段バネ部材を握り部に設け、握り部を握り締めるだけで、一方の挟持部材を押圧してスライドできるようにしたことを特徴とする袋の開口具。
【発明の詳細な説明】
【技術分野】
【０００１】
本発明は、生鮮食料品等を扱う小売店舗、スーパーマーケットの店頭、あるいはレジで使用するポリ塩化ビニール製・ポリエチレン製等のプラスチック袋の口が密着状態になっていて、乾燥した素手では簡単に袋口を開けられない場合に、簡単に開け易くする袋の開口具に関するものである。
【背景技術】
【０００２】
従来、生鮮食料品を販売する小売店舗等におけるポリ塩化ビニール・ポリエチレン製の袋、スーパーマーケットをはじめとする小売店舗等で消費者達に手渡されるポリ塩化ビニール・ポリエチレン製の袋は、インフレーション成形による製袋品が多く、物を入れる側に形成された開口部が成形時の離型剤の影響で生ずるブロッキング現象（固型化現象）やカッティング時の押し圧、さらに静電気の帯電などで袋のフィルム同士が密着しており、乾燥した素手では簡単に開けられない場合が多く、そのため前もって近傍に湿らせたスポンジやタオル等を置いておき、それらに指を触れて指先を湿らせてから袋の口を開くか、または唾液で指先を湿らせてから開いていた。その際、スポンジやタオル等を湿らせておく水分は多く含ませ過ぎると、やがて異臭を発するようになり、逆に水分が少な過ぎると、すぐ乾燥して指先を湿らせることができなくなってしまう。したがって、ちょうど良い状態を維持しておくためには、毎日何回も、相当の時間と手間とを使って点検調整洗浄業務を行わなければならなかった。
また、唾液で指先を湿らせてから開く方法は、衛生上の問題があった。
これらの問題を解決するものとして、握り部の面に対して、垂直ないしは斜めの面になるように両端部を設け、両端部の内側に滑り止め部を設ける。袋の口側を、袋の開口器の両端部にある滑り止め部の間に入れ、次に握り部同士が近づくように力を入れる。すると滑り止め部同士が袋の口側を挟んで接触しながら擦れ違うので、密着していた袋の口側に開口部が発生する。後は握り部に加えていた力を抜いて袋を外せば、自然に開口部から物が入れられる状態になる袋の開口器（例えば、特許文献１参照）が存在している。
【特許文献１】特開２０００−１９０９２７号公報（特許請求の範囲の欄、発明の詳細な説明、発明の実施の形態の欄の段落｛０００５｝及び図１、図３を参照）
【発明の開示】
【発明が解決しようとする課題】
【０００３】
しかしながら、小売店舗等の従事者たちは、毎日何度もスポンジやタオル等の最適な水分の含み具合の確認を兼ねて、それらの点検調整洗浄業務に貴重な時間を費やさなければならなかったり、あるいは汚れて変色してきたり、消耗してきたスポンジやタオル等の使用から消費者たちに不潔感を与えることのないよう、毎月何回も新品のスポンジやタオル類と取り替えなければならないといった出費が行なわれてきた。それでも衛生状態に敏感な消費者たちからは、他人が触れた、湿ったスポンジやタオル等を用いなければならないことから生じる不潔感に対する抵抗感を抱かれ、不評をかっていた。そこで本発明は、湿らせたスポンジやタオル等によらなくてもポリ塩化ビニール・ポリエチレン製等の袋の開口が簡単にできるようにし、小売店舗等の従事者たちがスポンジやタオル等を常に最適な水分の含み具合状態にするための準備と点検調整洗浄業務に携わってきた貴重な時間の解消を図り、かつスポンジやタオル等の購入に費やされてきた経費の節約を図ると同時に、衛生状態に敏感な消費者たちの、他人が触れた、湿ったスポンジやタオル等に触れなければならなかったことに起因する不潔感に対する抵抗感を無くすと同時に、これらを解消した従来の特許文献１に示された弾性力を持たせた曲部を有する握り部の面に対して垂直の面を持つように両端部を設け、この両端部の内側に、それぞれ滑り止め部を設けた袋の開口器は存在するが、該袋の開口器は、確かに袋の口部を、袋の開口器の両端部の内側に設けられている滑り止め部の間に入れ、次に握り部同士が近づくように力を加えることで、両端部にある滑り止め部同士が袋の口側の部分を挟んで接触しながら擦れ違うので、密着していた袋の口側にしわができ、隙間が発生する。
しかし、その後の説明にあるように、この袋の口側に隙間ができたら、握り部同士が近づくように加えられていた力を抜けば、曲部のもつ弾性力によって両端部及び滑り止め部が元の位置に戻るので、袋の開口器の間に入れていた袋を外せば、袋は開口部が開いた状態で外され、そのまま物を入れることができる状態になると記述されているが、実際は、袋の開口器から袋を外せば、静電気等により元の密着状態に戻ってしまうことが発生し、開口を確実にすることができないという問題がある。
本発明は、これを解決した袋の開口具を提供することを目的としている。
【課題を解決するための手段】
【０００４】
上記課題を解決するための本発明の第１発明は、請求項１に記載された通りの袋の開口具であり、次のようなものである。
弾性力を有する材料で製作したＵ字状バネトングを有する袋の開口具において、上下にゴム製の挟持部材を有する握り部を設け、前記挟持部材のどちらか一方に移動部材を介してスライドできる構成である。
【０００５】
上記課題を解決するための本発明の第２発明は、請求項２に記載された通りの袋の開口具であり、次のようなものである。
弾性力を有する材料で製作したＵ字状バネトングを有する袋の開口具において、上下にゴム製の挟持部材を有する握り部を設け、前記挟持部材のどちらか一方に握り部を握り締めることで一方の挟持部材を押圧する２段バネ部材を握り部に設け、握り部を握り締めるだけで、一方の挟持部材を押圧してスライドできる構成である。
【発明の効果】
【０００６】
本発明に係る袋の開口具は、上記説明のような構成であるので、以下に記載する効果を奏する。
（１）実験の結果、あらゆる種類、材質のプラスチック製袋の開口がワンタッチで瞬時に可能となり、スーパーマーケット等で買い物を行う顧客の不快感を解消し、湿らせたスポンジやタオルを置いて指先を湿らせる必要がなく、また唾液で指先を湿らせる必要もない、極めて確実に袋の口部を開口することができるもので、袋詰めの時間を短縮し、袋詰め台付近の混雑を解消することができるものである。
（２）充分な管理をしていないと悪臭等を発生する、湿らせたスポンジやタオル等と違い、買い入れた商品を袋に挿入するテーブル毎に本願発明の袋の開口具を設置しておくことで、袋の開口を可能にし、衛生的であり不潔感を抱かせることがないものである。
【発明を実施するための最良の形態】
【０００７】
弾性力を有する材料で製作したＵ字状バネトングを有する袋の開口具において、上下にゴム製の挟持部材を有する握り部を設け、前記挟持部材のどちらか一方に握り部を握り締めることで一方の挟持部材を押圧する２段バネ部材を握り部に設け、握り部を握り締めるだけで、一方の挟持部材を２段バネ部材が押圧してスライドできるようにした袋の開口具。
【実施例１】
【０００８】
以下、本発明の実施例を添付図面で詳細に説明する。
図１は、本発明の第１実施例である袋の開口部の構成を示す概略斜視図であり、図２は、同第１実施例の袋の開口具を示す側面図、図３は、同第１実施例の袋の開口具を袋の口部を挟持部材で挟持した状態を示す概略斜視図、図４は、同第１実施例の袋の開口具の袋の口部を挟持部材で挟持して、一方の挟持部材をスライドして袋の口部を開いた状態を示す概略斜視図、図５は、本発明の第２実施例である袋の開口具を示す側面図で、（イ）は通常の状態を示し、（ロ）は上下の挟持部材で袋の口部を挟持した時点の状態を示し、（ハ）は上下の挟持部材で袋の口部を挟持した状態のまま、さらに押し下げることで、２段バネ部材により上の挟持部材をスライドさせた状態を示すものである。
【０００９】
以下、本願発明の袋の開口具に関する第１実施例について図１〜図４に基づいて説明する。
本発明は、スーパーマーケット等で消費者が購入した商品を入れるプラスチック製袋Ａの開口部を開口するための袋の開口具１である。
この袋の開口具１はステンレス鋼・バネ鋼製等、弾力性のある材料を用いてＵ字状バネトング２を形成し、両端に握り部８を設け、その握り部８の一方端部に固定挟持部材３を、他方端部に移動挟持部材４を設ける。この固定挟持部材３と移動挟持部材４は常時離反方向に付勢するように適当な間隔を有して、上下（使用態様によっては左右）に設ける。
なお、固定挟持部材３と移動挟持部材４が通常においては閉じた状態にし、手により握ると開く枢支構造にすることにより、不使用時に挟持面にゴミが付着するのを防いだり、粘着面の劣化を防止するようにもしたものが実施例として考えられる。
【００１０】
前記固定挟持部材３と移動挟持部材４間に挟持するプラスチック袋Ａとの接触面側に対向するように、少なくとも一方（両方でも可）、特にスライドできる側の面には、粘着層を有する合成ゴム、吸盤シート（一般の合成ゴムに凹凸をつけたもの）等の滑り止め部を設ける。この移動挟持部材４の粘着層は、移動挟持部材４との接着状態を維持したままでプラスチック袋Ａとの粘着性を発揮し、プラスチック袋Ａの剥離も可能な粘着部材を適宜選択して用いるものである。なお、固定挟持部材３はネオプレンゴム等の一般的な合成ゴムを設けることで足りる。
【００１１】
次に、固定挟持部材３と移動挟持部材４について詳細に説明すると、図１、図２からも理解できるように、ステンレス鋼でＵ字状バネトング２を形成して、その両端内側に袋の口部を挟持する対向面に両方又は一方に滑り止め部材からなる固定挟持部材３と移動挟持部材４を取り付ける。前記固定挟持部材３と移動挟持部材４は、一般の合成ゴムと粘着層を有する合成ゴムを直接握り部８に取り付けるか、支持台１６を介して取り付けることが考えられる。さらに、その内少なくとも一方をスライドできるようにする。
【００１２】
その具体的な例は、図１に示すように端部にスライド用の長孔５を穿設し、その長孔５を介して、移動挟持部材４がスライドできるようにする。移動挟持部材４に固設した連結軸体６を前記長孔５に挿通し、その連結軸体６の上部を移動部材（スライドレバー）７に固定し、この移動部材７を母指等で押したり、引いたりすることで移動挟持部材４が長孔５間をスライドするものである。
なお、この移動部材７は、指で押したり引いたりしない場合、すなわち常時は、固定金具１０を介して引張りバネ９で移動挟持部材４が固定挟持部材３と対向した状態を維持できるように付勢されている。
【００１３】
図１に示した実施例は、操作する際に上方になる側のみに移動部材７を設け、下方の他側は固定挟持部材３にしたものを示したが、この固定挟持部材３もスライドできるように構成することも考えられる。
【００１４】
ここで、図１〜図４に基づいて作用について説明すると、バネ弾性を有する金属材料等で形成した端部をＵ字状バネトング２に形成し、離反方向に付勢するように適当な間隔を有し、上下に移動挟持部材４、固定挟持部材３を設けた本願発明の袋の開口具の両挟持部材３、４間に袋の口を入れ、次に握り部８同士が近づくように力を加える。すると、握り部８の両端にある固定挟持部材３、移動挟持部材４同士が袋の口の部分を挟んで接触させながら、一方の移動挟持部材４をスライドさせる移動部材７を母指等で押圧してスライドさせることで、密着された袋の口の上下のどちらか一方の移動挟持部材４側の方をずらすことができるので、結果的に開口されるものである。袋の口部がずれて開口できたら、袋の開口部をつまみながら握り部８同士が近づくように加えられた力を抜けば、Ｕ字状バネトング２の曲部のもつ弾力性によって両端の固定挟持部材３と移動挟持部材４が元の位置に戻るので、袋の開口具の間に入れていた袋を外せば、袋は開いた状態で外され、そのまま物を入れることができる。
【実施例２】
【００１５】
次に、本願発明の袋の開口具に関する第２実施例について図５に基づいて説明する。
この第２実施例は、第１実施例と相違して、第１実施例の移動部材７に換えて、単にＵ字状バネトング２の両端の握り部１１の部分を握り締めて押下させて挟持するだけで、袋口を挟持すると略同時に２段バネ部材１２を介して握り部１１の一方に設けたスライドできるようにした側の移動挟持部材１３を支持レール１４によって案内させながら、押し移動することで袋口の一方をずらすことができ、開口されるものである。
なお、握り部１１の他方には、圧縮バネ１５を介して、固定挟持部材１６が設けられている。
【００１６】
以上、第２実施例の場合も前記固定挟持部材１６と移動挟持部材１３は、一般の合成ゴムと粘着層を有する合成ゴムを直接握り部８に取り付けるか、支持台１６を介して取り付けることが考えられる。
【００１７】
すなわち、第１実施例のように移動部材７等で移動挟持部材４をスライドさせる操作を行わずとも、単に握り部８を握り締める操作だけで袋の口部を挟持した上に移動挟持部材１３が自動的にスライドされるものである。
【００１８】
この構成の具体的な一例を図５に基づいて詳細に説明すると、Ｕ字状バネトング２の曲成した部分の適宜部位に一方を固定し、他方をフリー状態にして適宜の形状に曲成した２段バネ部材１２を設け、握り部１１を握り締めることにより、２段バネ部材１２の折り曲げ形状部１８が図５の（イ）（ロ）（ハ）の順番で握り部１１を握り締めることにより、両挟持部材１３、１６が袋の口部を挟持した直後に一方の移動挟持部材１３をスライドするように押圧できるような形状になっている。そして、一方の移動挟持部材１３がスライドできるようにするための一実施例は、移動挟持部材１３に設けた支持レール１４に係合させて、一方の握り部１１の内側に取り付けるものである。
なお、握り部１１を握り締めていた力を取り除くと、Ｕ字状バネトング２の弾性力で適宜の間隔に復帰すると同時に、スライドする移動挟持部材１３は常時引張りバネ９で、他方の固定挟持部材１６と対向する位置に戻る状態に付勢するようになっている。
【００１９】
次に、この第２実施例の作用について説明すると、前記第１実施例と同様に第２実施例の袋の開口具は握り部１１に設けた両挟持部材１３、１６間に袋の口を入れ、次に握り部１１同士が近づくように力を加える。すると握り部１１の両端にある移動、固定挟持部材１３、１６同士が、袋の口の部分を挟んで接触しながら一方の移動挟持部材１３（図示されたものは上方の挟持部材）が、２段バネ部材１２の押下に従って折り曲げ形状部１８が接触押圧されてスライドでき、袋の口部の一方の片をずらすことができる。その結果、袋が開口された状態になる。袋の口部がずれて開口できたら、袋の開口部を摘みながら握り部１１同士が近づくように加えられていた力を抜けばＵ字状バネトング２のもつ弾性力によって両端の移動、固定挟持部材１３、１６が元の位置に戻るので、袋の開口具１９の間に入れていた袋を外せば、袋は開いた状態で袋の開口具１９から外され、そのまま物を入れることができる。
【００２０】
なお、従来方法は、袋押さえ動作と袋ずらし動作（開口動作）を行う際の押さえ動作力（押さえつける力加減）、並びに袋ずらし動作力（ずらし力加減）が使用者の保有する力エネルギーの全てを袋に伝えられない構造で、ステンレス鋼製でＵ字状に形成し、上下の挟持部にそれぞれプラスチック袋との接触面側に粘着層を有し、プラスチック袋の口部をこの袋の開口器に設けた上下の挟持部で握って挟み、そして握力を開放したところ、粘着層で袋の口部の上下の２枚を相反する側に粘着して隙間が開くが、袋の開口部に対し、平行方向へのずらしのため、折角袋ずらしができたとしても使用者がこの隙間（開口）部に指先を挿入しなければ開口状態を維持できないし、また粘着層にゴミが付着するので、短時間でそのゴミを取り除かないと粘着力が劣化して隙間を開けることができなくなることがわかった。
【００２１】
Ｕ字状バネトング２を基礎に記述しているが、形状面で言えば、例えばＶ字状あるいはコ字状でも良いし、材質もステンレス鋼に限らず、バネ機能を有するプラスチック製を採用することも考えられる。また、図面にはゴム製の挟持部材を取付ける手段として、カップ状の握り部に粘着ゴム等の挟持部材を「はめ込み」によりはめ込み固定しているものを示しているが、カップ状の握り部の底部と、挟持部材にマジック（登録商標）テープの採用により、容易に挟持部材の粘着ゴム等の交換を可能にすることもできる。
【産業上の利用可能性】
【００２２】
食料品小売店舗、スーパーマーケットだけでなく、食品加工会社等が自動化されていない人海戦術で食品を袋詰めするような食品工場などでも利用することができる。
【図面の簡単な説明】
【００２３】
【図１】本発明の第１実施例である袋の開口部の構成を示す概略斜視図である。
【図２】本発明の第１実施例の袋の開口具を示す側面図である。
【図３】本発明の第１実施例の袋の開口具の袋の口部を挟持部材で挟持した状態を示す概略斜視図である。
【図４】本発明の第１実施例の袋の開口具の袋の口部を挟持部材で挟持して、一方の挟持部材をスライドして袋の口部を開いた状態を示す概略斜視図である。
【図５】本発明の第２実施例である袋の開口具を示す側面図で、（イ）は通常の状態を示し、（ロ）は上下の挟持部材で袋の口部を挟持した時点の状態を示し、（ハ）は上下の挟持部材で袋の口部を挟持した状態のまま、さらに押し下げることで、２段バネ部材により上の挟持部材をスライドさせた状態を示すものである。
【符号の説明】
【００２４】
１・・・・袋の開口具                    ２・・・・Ｕ字状バネトング
３・・・・固定挟持部材                  ４・・・・移動挟持部材
５・・・・長孔                          ６・・・・連結軸体
７・・・・移動部材                      ８・・・・握り部
９・・・・引張りバネ                  １０・・・・固定金具
１１・・・・握り部                      １２・・・・２段バネ部材
１３・・・・移動挟持部材                １４・・・・支持レール
１５・・・・圧縮バネ                    １６・・・・固定挟持部材
１７・・・・支持台                      １８・・・・折り曲げ形状部
１９・・・・袋の開口具                    Ａ・・・・プラスチック製袋
【図１】
2006076593.tif 000003
【図２】
2006076593.tif 000004
【図３】
2006076593.tif 000005
【図４】
2006076593.tif 000006
【図５】
2006076593.tif 000007